(57)【要約】【課題】多数密設された上方に突起する略線状又は略棒状の弾性起立部のへたりを防ぎつつ靴底の比較的大きな付着物及び比較的細かな付着物を何れも効果的に脱離させることができる。【解決手段】多数の支持体Ｓにより載置面よりも上方に支持される基盤部Ｂに、上方突起の弾性起立部１０が多数密設された弾性起立部区域を略市松状に多数設ける。基盤部Ｂの残部には、板状構造剛性起立部１２を設ける。板状構造剛性起立部１２は、直立板状をなし、上方突出高さが弾性起立部よりもやや低い。板状構造剛性起立部１２の両広側部１２ｂの側方部分には、上方開放の空間部１６が形成されている。空間部１６のうち広側部１２ｂに臨む部分の下方には、基盤部Ｂを貫通する下方貫通の透孔１８を形成する。【選択図】      図１
2004337472.tif 000002
【特許請求の範囲】
【請求項１】
多数密設された上方に突起する略線状又は略棒状の弾性起立部と、上方に突起する多数の板状構造又は塊状構造の剛性起立部とが混在してなる靴拭いマットであって、
前記剛性起立部は変形し難く、前記弾性起立部は比較的撓み易いものであり、
前記剛性起立部は、多数密設された弾性起立部の間に設けられ、前記剛性起立部における少なくとも１つの広側部の側方部分が、上方開放の空間部に形成されていることを特徴とする靴拭いマット。
【請求項２】
上記剛性起立部における、少なくとも互いにほぼ逆向きの一組の広側部の側方部分が何れも上方開放の空間部に形成されている請求項１記載の靴拭いマット。
【請求項３】
剛性起立部の広側部の上部の水平方向長がその剛性起立部の上方突起高さと同等以上である請求項１又は２記載の靴拭いマット。
【請求項４】
剛性起立部の広側部の側方部分に形成された空間部の広側部からの広がりが、その剛性起立部の上方突起高さと同等以上である請求項１、２又は３記載の靴拭いマット。
【請求項５】
弾性起立部及び剛性起立部が基盤部から上方に突起するものであり、前記基盤部は、支持体により載置面よりも上に支持されるものである請求項１乃至４の何れかに記載の靴拭いマット。
【請求項６】
上記空間部の下方に下方貫通の透孔が形成された請求項１乃至５の何れかに記載の靴拭いマット。
【請求項７】
上端位置が弾性起立部よりも剛性起立部の方がやや低い請求項１乃至６の何れかに記載の靴拭いマット。
【請求項８】
弾性起立部が多数密設された弾性起立部区域が多数設けられ、各弾性起立部区域の少なくとも三方に隣接して剛性起立部が設けられた請求項１乃至７の何れかに記載の靴拭いマット。
【請求項９】
弾性起立部区域と剛性起立部が略市松状に設けられた請求項８記載の靴拭いマット。
【発明の詳細な説明】
【０００１】
【発明の属する技術分野】
本発明は、上方に突起する多数の略線状又は略棒状の弾性起立部を備えた靴拭いマットに関する。
【０００２】
【従来の技術】
特許文献１には、多数の芝状の小突起が密に立設された合成樹脂製の人工芝マットが記載されている。このようなマットの芝状の小突起は、靴底の泥等の付着物を脱離させる効果を有する。
【０００３】
ところが、繰り返し靴底で踏まれることにより、へたり、すなわち起立状態から屈曲状態や伏倒状態等に永久的に変形することとなる。この種のマットにおける芝状小突起にへたりが生じると、芝状小突起自体による泥落し等の靴底付着物脱離効果が低下すると共に、靴底から脱離した泥等がマットの上部に滞留し、泥落し等の効果を更に低下させる結果となる。
【０００４】
これについては、繰り返し靴底で踏まれた場合にも芝状小突起にへたりが生じるのを防ぐために芝状小突起の間の要所に柱状の支持片を立設した靴ぬぐいマットが知られている（特許文献２）。
【特許文献１】特開平１０−１８３５１８号公報
【特許文献２】意匠登録第１０５６１０７号公報
【０００５】
【発明が解決しようとする課題】
このような、多数の芝状の小突起が密に立設された従来の靴拭いマットは、靴底に付着した泥等の付着物を満遍なく脱離させる上では効果的であり、要所に柱状の支持片を立設したものの場合、芝状小突起のへたりをある程度防ぐ効果を有する。
【０００６】
しかしながら、靴底に付着した泥塊等の比較的大きな付着物の脱離については、芝状小突起ではあまり効果が上がらず、柱状支持片が存在するものでも同様である。
【０００７】
本発明は、従来技術に存した上記のような課題に鑑み行われたものであって、その目的とするところは、多数密設された上方に突起する略線状又は略棒状の弾性起立部のへたりを防ぎつつ靴底の比較的大きな付着物及び比較的細かな付着物を何れも効果的に脱離させることができる靴拭いマットを提供することにある。
【０００８】
【課題を解決するための手段】
上記目的を達成する本発明の靴拭いマットは、
多数密設された上方に突起する略線状又は略棒状の弾性起立部と、上方に突起する多数の板状構造又は塊状構造の剛性起立部とが混在してなる靴拭いマットであって、
前記剛性起立部は変形し難く、前記弾性起立部は比較的撓み易いものであり、
前記剛性起立部は、多数密設された弾性起立部の間に設けられ、前記剛性起立部における少なくとも１つの広側部の側方部分が、上方開放の空間部に形成されていることを特徴とする。
【０００９】
この靴拭いマットにおいては、その上を靴で踏み歩いたり、その上で靴底を摺動させたりすること等により、多数密設された弾性起立部により、靴底に付着した泥等の付着物を満遍なく効果的に脱離させることができる。略線状又は略棒状の弾性起立部のへたり、すなわち繰り返し靴底で踏まれることにより起立状態から屈曲状態や伏倒状態等に永久的に変形することは、多数密設された弾性起立部の間に剛性起立部が設けられて弾性起立部の大きな撓みが妨げられることによって防がれる。
【００１０】
而も、剛性起立部における少なくとも１つの広側部の側方部分が、上方開放の空間部に形成されているため、そのマットの上を靴で踏んだり、そのマット上で靴底を摺動させたりすること等により、靴底に付着した泥塊等の比較的大きな付着物を、剛性起立部のうち前記空間部に臨む広側部の側から効果的に脱離させることができる。剛性起立部が、密設された弾性起立部に近接している場合、比較的大きな付着物の脱離効果が、近接して密設された弾性起立部により低減するが、広側部が臨む空間部によって、そのような脱離効果低減作用が防がれ、効果的な脱離を実現することができる。
【００１１】
従って、多数密設された弾性起立部と少なくとも１つの広側部の側方部分が上方開放の空間部に形成された剛性起立部との組み合わせにより、弾性起立部のへたりを防ぎつつ、靴底の比較的大きな付着物及び比較的細かな付着物を何れも効果的に脱離させることができる。
【００１２】
上記板状構造の剛性起立部としては、例えば、直立した平板状又は異形板状のものを挙げることができる。異形板状の例としては、平面視において屈曲状、湾曲板状、波板状、十字板状、Ｌ字板状、Ｔ字板状、Ｈ字板状等のものを挙げることができる。板状構造の剛性起立部は、上下方向又は水平方向に一定厚であることを要しない。
【００１３】
塊状の剛性起立部としては、例えば、上面が水平状の直方体状、立方体状、又は四角錐台状、或は三角柱体又は三角錐台状の中実部又は中空殻部を挙げることができる。
【００１４】
上記靴拭いマットは、上記剛性起立部における、少なくとも互いにほぼ逆向きの一組の広側部の側方部分が何れも上方開放の空間部に形成されているものであることが好ましい。
【００１５】
この場合、剛性起立部における少なくとも互いにほぼ逆向きの一組の広側部の側方部分が、何れも上方開放の空間部に形成されているため、剛性起立部のうち各空間部に臨む互いにほぼ逆向きの何れの広側部の側からも、靴底に付着した泥塊等の比較的大きな付着物を効果的に脱離させることができる。
【００１６】
上記広側部というのは、剛性起立部の側部のうち、靴底に付着した泥塊等の比較的大きな付着物を効果的に脱離させ得る水平方向長を有するものである。広側部の上部の水平方向長は、例えば５ｍｍ以上、好ましくは１０ｍｍ以上とすることができる。
【００１７】
例えば板状構造の剛性起立部のうち直立平板状の剛性起立部の場合、通常、その厚さを挟む逆向きの両面が広側部となる。また例えば、塊状構造の剛性起立部のうち、上面が水平状をなす立方体状の剛性起立部であれば４側面何れもが広側部となり得、直方体状の剛性起立部であれば少なくとも水平方向長が長い方の２側面（及び、場合により短い方の２側面）が広側部となり得る。なお、広側部は水平面に対し垂直に近いものが、靴底付着物脱離効果上好ましい。水平面に対し４５度以上とすることができるが、好ましくは、水平面に対し７０度以上、より好ましくは８０度以上である。
【００１８】
また、上記靴拭いマットにおける剛性起立部の広側部の上部の水平方向長は、その剛性起立部の上方突起高さと同等以上であるものとすることができる。
【００１９】
この場合、剛性起立部の広側部の上部の水平方向長がその剛性起立部の上方突起高さと同等以上であるため、靴底に付着した泥塊等の比較的大きな付着物を効果的に脱離させることができる。好ましくは、剛性起立部の広側部の上部の水平方向長はその剛性起立部の上方突起高さの１．５乃至２倍以上である。
【００２０】
また、上記靴拭いマットは、剛性起立部の広側部の側方部分に形成された空間部の広側部からの広がりが、その剛性起立部の上方突起高さと同等以上であるものとすることが好ましい。
【００２１】
この場合、剛性起立部の広側部の側方部分に形成された空間部の広側部からの広がりが、その剛性起立部の上方突起高さと同等以上であるため、密設された弾性起立部により比較的大きな付着物の脱離効果が低減されることが防がれ、靴底に付着した泥塊等の比較的大きな付着物を効果的に脱離させることができる。或はまた、剛性起立部の広側部の側方部分に形成された空間部の広側部からの広がりは、隣接弾性起立部の配置距離の２倍以上であるものとすることができる。
【００２２】
更に、上記靴拭いマットは、弾性起立部及び剛性起立部が基盤部から上方に突起するものであり、前記基盤部は、支持体により載置面よりも上に支持されるものであることが好ましい。
【００２３】
また上記靴拭いマットは、上記空間部の下方に下方貫通の透孔が形成されたものであることが好ましい。
【００２４】
この場合、空間部の下方に形成された下方貫通の透孔を通じて、靴底から脱離した泥や水分等が排出されるので、泥や水分がマット上に滞留して付着物脱離効果や水切り効果が低下することが防がれる。特に、弾性起立部及び剛性起立部が基盤部から上方に突起するものであり、前記基盤部は、支持体により載置面よりも上に支持されるものである場合、透孔は基盤部を貫通して基盤部と載置面との間の空間に開口するので、泥や水分等の排出効果に優れる。
【００２５】
また、上記靴拭いマットは、上端位置が弾性起立部よりも剛性起立部の方がやや低いものとすることが好ましい。
この場合、弾性起立部よりも剛性起立部の方が上端位置がやや低いので、マット上を靴で踏むと、多数密設された弾性起立部の上部が撓みつつ靴底に付着した泥等の付着物を満遍なく効果的に脱離させ、且つ、弾性起立部よりも上端位置がやや低い剛性起立部により靴底が支持されて弾性起立部がそれ以上に撓むことを防ぐ。而も、弾性起立部によりクッション効果が発揮される。
【００２６】
更に、上記靴拭いマットは、弾性起立部が多数密設された弾性起立部区域が多数設けられ、各弾性起立部区域の少なくとも三方に隣接して剛性起立部が設けられたものとすることが好ましい。
【００２７】
この場合、各弾性起立部区域の少なくとも三方（四方又はそれ以上であってもよい。三方又は四方等の各方向はほぼ等中心角であることが好ましいが、実質的に二方となるような偏ったものでなければ採用可能である。）に隣接して剛性起立部が設けられることにより、各弾性起立部区域における弾性起立部が大きく撓むことが三方以上に隣接する剛性起立部によって確実に防がれ、弾性起立部のへたりが効果的に防がれる。而も、少なくとも三方に隣接して設けられた剛性起立部により、比較的大きな付着物の効果的な脱離を実現することができる。
【００２８】
また、この靴拭いマットは、弾性起立部区域と剛性起立部が略市松状に設けられたものであることが好ましい。
この場合、弾性起立部区域と剛性起立部が、略市松状に設けられることにより、各弾性起立部区域における弾性起立部が大きく撓むことが前後左右の剛性起立部によって確実に防がれ、弾性起立部のへたりが効果的に防がれる。而も、市松状に設けられた剛性起立部により、比較的大きな付着物の効果的な脱離を実現することができる。
【００２９】
【発明の実施の形態】
本発明の実施の形態を、図面を参照しつつ説明する。
【００３０】
図１乃至図５は本発明の実施の形態の一例としての靴拭いマットに関するものであって、図１は要部拡大平面図、図２は平面図である。図３は弾性起立部を含む部分の拡大図であって、（ａ）は拡大平面図、（ｂ）は拡大正面図、（ｃ）は拡大側面図である。図４は板状構造剛性起立部及び空間部を含む部分の拡大図であって、（ａ）は拡大平面図、（ｂ）は板状構造剛性起立部の拡大正面図、（ｃ）は、（ａ）におけるｃ−ｃ断面図、（ｄ）は、（ａ）におけるｄ−ｄ断面図である。図５は塊状構造剛性起立部を含む部分の拡大図であって、（ａ）は拡大正面図、（ｂ）は拡大縦断面図である。
【００３１】
この例の靴拭いマットＭは、合成樹脂製であって、一体成形によるものであり、外周を囲む縁部Ｅの内側に、柱状の多数の支持体Ｓ（柱状に限らず、例えばリブ状の支持体でもよい。）によって載置面よりも上方に支持される基盤部Ｂが形成されている。
【００３２】
基盤部Ｂには、上方に突起する弾性起立部１０が多数密設されると共に、上方に突起する多数の板状構造剛性起立部１２が設けられ、両者が混在している。また、部分的に塊状構造剛性起立部１４が設けられている。なお、このような弾性起立部１０、板状構造剛性起立部１２、及び塊状構造剛性起立部１４以外のものが設けられることを妨げるものではない。また、板状構造剛性起立部１２又は塊状構造剛性起立部１４は、例えば靴拭いマットＭの基盤部Ｂにおける１乃至１０ｃｍの間に１つ設けるものとすることができる。好ましくは２乃至５ｃｍの間に１つである。
【００３３】
弾性起立部１０は、図３に示すように、三稜がやや湾曲した縦長の略三角錐状をなし、基盤部Ｂから上方に突起する状態で多数密設されている。弾性起立部１０における基盤部Ｂから上方に突起する突起高さは、例えば５乃至２０ｍｍ程度とすることができる。好ましくは７乃至１５ｍｍである。弾性起立部１０の密設は、靴底に付着した泥等の付着物を満遍なく効果的に脱離させることができる程度であればよい。弾性起立部１０の形状は、これに限るものではなく、略線状又は略棒状であればよいが、靴拭いマットＭ上を靴で踏み歩いたり靴拭いマットＭ上で靴底を摺動させたりすること等により靴底の溝内の泥等の付着物を脱離させる上で、上端が尖端状であることが好ましい。弾性起立部１０は板状構造剛性起立部１２に比し弾性的な撓みが生じ易いが、靴底の泥等を脱離させる上で十分な弾性率及び硬さを有することが望ましい。
【００３４】
板状構造剛性起立部１２は、図４に示すように、基部から上方に向かって漸次厚さが減少する直立板状をなし、上面は水平方向長の中央から両端に向かってやや下降傾斜する。板状構造剛性起立部１２の両端部には、水平方向長方向［図４（ａ）における左右方向］に直交する両方向に拡開する支持部１２ａが形成され、剛性が高められている。支持部１２ａは、基盤部Ｂ上において、下方に向かって漸次拡開するよう形成されている。なお、板状構造剛性起立部１２及び塊状構造剛性起立部１４における基盤部Ｂから上方に突起する突起高さは、弾性起立部１０に比しやや低い。例えば１乃至５ｍｍ程度低くすることができ、好ましくは２乃至３ｍｍ程度である。
【００３５】
板状構造剛性起立部１２の両広側部１２ｂの側方部分には、上方開放の空間部１６が形成され、空間部１６のうち広側部１２ｂに臨む部分の下方には、基盤部Ｂを貫通する下方貫通の透孔１８が形成されている。空間部１６の平面積は、広側部１２ｂの側面積の例えば１／２乃至２倍程度、好ましくは２／３乃至３／２倍程度とすることができる。透孔１８の平面積は、空間部１６の平面積の例えば１／２乃至１倍程度、好ましくは２／３乃至１倍程度とすることができる。透孔１８は、塊状の泥が排出され易くする上で、単数であることが好ましい。
【００３６】
塊状構造剛性起立部１４は、図５に示すような正四角錐台状の中空殻により構成されており、上面には複数の小突部１４ａが形成されている。
【００３７】
基盤部Ｂには、弾性起立部１０が多数密設された略正方形状の弾性起立部区域Ｆが略市松状に多数設けられている。弾性起立部区域Ｆとなるべき部分の一部は、塊状構造剛性起立部１４に形成されているが、弾性起立部区域Ｆ及び塊状構造剛性起立部１４と共に略市松状をなす残部を構成する各略正方形状部分には、板状構造剛性起立部１２及び下方に透孔１８が貫通する空間部１６が形成されている。各板状構造剛性起立部１２は縦又は横方向をなし、斜め方向において隣接する板状構造剛性起立部１２同士は、互いに直交する方向をなす。
【００３８】
この靴拭いマットＭにおいては、多数密設された弾性起立部１０により、靴底に付着した泥等の付着物を満遍なく効果的に脱離させることができ、弾性起立部１０のへたりは、多数密設された弾性起立部１０の間に板状構造剛性起立部１２が満遍なく設けられて大きな撓みが妨げられることによって防がれる。而も、板状構造剛性起立部１２の両広側部１２ｂの各側方部分は、上方開放の空間部１６に形成されているため、靴底に付着した泥塊等の比較的大きな付着物を効果的に脱離させることができる。
【００３９】
また、空間部１６の下方に形成された下方貫通の透孔１８を通じて、靴底から脱離した泥や水分等が排出されるので、泥や水分がマット上に滞留して付着物脱離効果や水切り効果が低下することが防がれる。基盤部Ｂは、支持体Ｓにより載置面より上に支持され、透孔１８は基盤部Ｂを貫通して基盤部Ｂと載置面との間の空間に開口するので、泥や水分等の排出効果に優れる。
【００４０】
更に、弾性起立部区域Ｆと板状構造剛性起立部１２が略市松状に設けられているので、各弾性起立部区域Ｆにおける弾性起立部１０が大きく撓むことが前後左右の板状構造剛性起立部１２によって確実に防がれ、弾性起立部１０のへたりが効果的に防がれる。また、略市松状に設けられた板状構造剛性起立部１２により、比較的大きな付着物の効果的な脱離を実現することができる。
【００４１】
また更に、弾性起立部１０よりも板状構造剛性起立部１２の方が上端位置がやや低いので、マット上を靴で踏むと、多数密設された弾性起立部１０の上部が撓みつつ靴底に付着した泥等の付着物を満遍なく効果的に脱離させ、且つ、弾性起立部１０よりも上端位置がやや低い板状構造剛性起立部１２により靴底が支持されて弾性起立部１０がそれ以上に撓むことを防ぐ。而も、弾性起立部１０によりクッション効果が発揮される。
【００４２】
従って、多数密設された弾性起立部１０と両広側部１２ｂの各側方部分が上方開放の空間部１６に形成された板状構造剛性起立部１２の組み合わせにより、弾性起立部１０のへたりを防ぎつつ、靴底の比較的大きな付着物及び比較的細かな付着物を何れも効果的に脱離させることができる。
【００４３】
なお、以上の実施の形態についての記述における寸法、個数、材質、形状、その相対配置などは、特にそれらに限定される旨の記載がない限りは、この発明の範囲をそれらのみに限定する趣旨のものではなく、単なる説明例に過ぎない。また、課題を解決するための手段の項において本発明について述べた例示及び数値範囲を含む説明は、原則として以上の実施の形態についての記述に適用される。
【００４４】
【発明の効果】
本発明の靴拭いマットによれば、多数密設された弾性起立部と少なくとも１つの広側部の側方部分が上方開放の空間部に形成された剛性起立部との組み合わせにより、弾性起立部のへたりを防ぎつつ、靴底の比較的大きな付着物及び比較的細かな付着物を何れも効果的に脱離させることができる。
【図面の簡単な説明】
【図１】靴拭いマットの要部拡大平面図である。
【図２】靴拭いマットの平面図である。
【図３】弾性起立部を含む部分の拡大図である。
【図４】板状構造剛性起立部及び空間部を含む部分の拡大図である。
【図５】塊状構造剛性起立部を含む部分の拡大図である。
【符号の説明】
１０      弾性起立部
１２      板状構造剛性起立部
１２ａ    支持部
１２ｂ    広側部
１４      塊状構造剛性起立部
１４ａ    小突部
１６      空間部
１８      透孔
Ｂ        基盤部
Ｅ        縁部
Ｆ        弾性起立部区域
Ｍ        マット
Ｓ        支持体
【図１】
2004337472.tif 000003
【図２】
2004337472.tif 000004
【図３】
2004337472.tif 000005
【図４】
2004337472.tif 000006
【図５】
2004337472.tif 000007